【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
治療薬を動物（１０２）に経皮的に投与するアプリケータ（１０６）において、
互いに接続された第１のセクション（１１４）および第２のセクション（２１４）を含むハウジング（１０８）であって、前記第１のセクション（１１４）および第２のセクション（２１４）は、それらの間に、少なくとも１つの出口（１１２）を含むチャネル（１２７）を画定する、ハウジングと、
前記第１のセクション（１１４）と一体でありそこから延在するハブであって、導管を画定する、ハブ（１１０）と、
前記導管を前記チャネル（１２７）に連結する湾曲通路とを備え、
前記導管、前記湾曲通路、および前記チャネル（１２７）は、前記導管から前記チャネルへ前記湾曲通路に沿って治療薬を導くために流体連結している、アプリケータ。
【請求項２】
請求項１に記載のアプリケータ（１０６）において、
前記湾曲通路は、前記第１のセクション（１１４）内に配設され、前記チャネル（１２７）に流体連結した開口部（１３２）内で終端する、アプリケータ。
【請求項３】
請求項２に記載のアプリケータ（１０６）において、
前記チャネル（１２７）は、前記開口部（１３２）で始まりそこから実質的に反対の方向に延在する、２つの脚（１２３，１２５）を備えた、アプリケータ。
【請求項４】
請求項３に記載のアプリケータ（１０６）において、
前記少なくとも１つの出口（１１２）は１対の出口（１１２）を備え、各脚（１２３，１２５）はそれぞれ前記出口（１１２）の一方で終端する、アプリケータ。
【請求項５】
請求項２に記載のアプリケータ（１０６）において、
前記開口部（１３２）は、前記チャネル（１２７）の長手方向に実質的に垂直な方向に流体を方向付けする、アプリケータ。
【請求項６】
請求項１に記載のアプリケータ（１０６）において、
前記チャネル（１２７）は実質的に半円形である、アプリケータ。
【請求項７】
請求項１に記載のアプリケータ（１０６）において、
流体送達デバイス（１０４）に取り付けるためのコネクタ（１１１）をさらに備えた、アプリケータ。
【請求項８】
請求項７に記載のアプリケータ（１０６）において、
前記コネクタ（１１１）はルアーロック式コネクタである、アプリケータ。
【請求項９】
請求項１に記載のアプリケータ（１０６）において、
前記少なくとも１つの出口（１１２）の近くに位置決めされた少なくとも１つのプロング（１２９）をさらに備えた、アプリケータ。
【請求項１０】
請求項９に記載のアプリケータ（１０６）において、
前記少なくとも１つのプロング（１２９）は、離間した１対の枝を備えた、アプリケータ。
【請求項１１】
請求項９に記載のアプリケータ（１０６）において、
前記少なくとも１つのプロング（１２９）は、離間した１対のフット部を備えた、アプリケータ。
【請求項１２】
請求項１に記載のアプリケータ（１０６）において、
前記湾曲通路は、少なくとも１つの転向部を備えた、アプリケータ。
【請求項１３】
請求項１２に記載のアプリケータ（１０６）において、
前記湾曲通路は、前記導管の実質的に半円筒形の部分（１２８）を通って延びる、アプリケータ。
【請求項１４】
請求項１３に記載のアプリケータ（１０６）において、
前記湾曲通路は、前記チャネル（１２７）に流体連結された開口部（１３２）内で終端し、前記開口部（１３２）は、前記実質的に半円筒形の導管の部分（１２８）に対して実質的に垂直に配置された、アプリケータ。
【請求項１５】
請求項１４に記載のアプリケータ（１０６）において、
前記開口部（１３２）は実質的に矩形である、アプリケータ。
【請求項１６】
請求項１に記載のアプリケータ（１０６）において、
前記導管の表面は継ぎ目がない、アプリケータ。
【請求項１７】
請求項１に記載のアプリケータ（１０６）において、
前記第１のセクション（１１４）と前記第２のセクション（２１４）との間の前記インターフェースは、平面（８００）を画定する、アプリケータ。
【請求項１８】
請求項１７に記載のアプリケータ（１０６）において、
前記湾曲通路は、前記平面（８００）の上方または下方に配設された、アプリケータ。
【請求項１９】
請求項１７に記載のアプリケータ（１０６）において、
前記湾曲通路は前記平面（８００）からずれている、アプリケータ。
【請求項２０】
請求項１７に記載のアプリケータ（１０６）において、
前記湾曲通路の一部分は前記平面（８００）に実質的に平行である、アプリケータ。
【請求項２１】
請求項１７に記載のアプリケータ（１０６）において、
前記湾曲通路の一部分は前記平面（８００）に実質的に垂直である、アプリケータ。
【請求項２２】
請求項１７に記載のアプリケータ（１０６）において、
前記ハブは前記平面（８００）の上方に突出する、アプリケータ。
【手続補正２】
【補正対象書類名】明細書
【補正対象項目名】００１１
【補正方法】変更
【補正の内容】
【００１１】
[0029]本発明は、概して、動物に、具体的には、限定されないがイヌ、ネコ、ウマなどの家畜またはペットに、液体ベースの調合物を投与する薬物送達デバイスを対象とする。本明細書では必須であることを意図しているわけではないことは確かだが、本発明は、ある量の家畜用規制薬物（例えば、フェンタニル）を、動物の外被および皮膚に経皮的に送達するのに特に有用である。また、動物はヒトを含むことがある。したがって、本発明の教示から逸脱することなく、本発明の薬物送達デバイス、システム、および方法を他のタイプの流体、液体、またはゲルと共に利用できることも本明細書で理解されたい。本教示に従って有用であると予期される他のこうした物質の非限定的な例の一部には、限定されないが、治療薬、害虫駆除剤、寄生虫駆除剤、接着剤、溶剤、潤滑剤、医薬品などが含まれる。話を単純にするために、本開示は、主に例示的で非限定的な投与物質として治療薬に焦点を当てているが、上記で明確に説明したように、本発明の教示をこれらの治療の用途にのみ限定する意図はない。
【手続補正３】
【補正対象書類名】明細書
【補正対象項目名】００１６
【補正方法】変更
【補正の内容】
【００１６】
[0034]組み立ての点では、アプリケータ１０６は、それぞれ第１のセクション１１４および第２のセクション２１４を備え、それらが互いに接続されるかまたは組み立てられてハウジング１０８が形成される。図３および図４に示すように、第１のセクション１１４は、入口ハブ１１０と、上面１１７と、底面１１８と、入口ハブ１１０と一体の後方縁部１１９と、第１の側部１２０および第２の側部１２２との全体を含む。第１および第２の側部は、実質的に互いに平行な１対の出口端部または脚１２３、１２５によって画定され、その出口端部または脚１２３、１２５は、第１の側部１２０と第２の側部１２２との間に配設された実質的に平坦な中間セクション１２１から延在し、それを部分的に囲繞する。１対のリブ１２４、１２６が、組み立て前の第１のセクション１１４の上面１１７から上向きに延在し、実質的にその外側周縁部に沿って配置され、平行に互いから離間している。特定の例示的な実施形態では、リブ１２４、１２６は、台形であり、４つの面を有し、上面および底面が互いに平行である。この例示的な実施形態によれば、離間したリブ１２４、１２６の間には溝またはチャネル１２７が形成されている。
【手続補正４】
【補正対象書類名】明細書
【補正対象項目名】００１８
【補正方法】変更
【補正の内容】
【００１８】
[0036]上記に説明したように、組み立て前の第１のセクション１１４は、組み立て前の第２のセクション２１４に接続され、それと共に併合されて、完全に組み立てられたアプリケータデバイス１０６が形成されるように構成されることを本明細書で理解されたい。さらに、リブ１２４と１２６との間に形成されたチャネルまたは溝１２７は、セクション１１４がセクション２１４に接続されて併合されると、治療薬を投与するための流体経路または導管が流体送達デバイス１０４と出口１１２の投与端部との間に形成されるようにして配置および形成される。
【手続補正５】
【補正対象書類名】明細書
【補正対象項目名】００１９
【補正方法】変更
【補正の内容】
【００１９】
[0037]次に図５に移ると、組み立て前の第２のセクション２１４の形状は、組み立て前の第１のセクション１１４と実質的に同様でありそれを補完するものであるが、対応する入口ハブ部分または第１のセクション１１４のようなリブおよび溝の構成を有しない。その代わりに、第２のセクション２１４は、上面２１７と、底面２１８と、後方縁部２１９とを含み、その後方縁部２１９は丸い部分２２１を有する。その部分２２１は、後方縁部２１９に沿って実質的に中心に位置し、組み立て中に第１のセクションの入口ハブ１１０の部分と実質的に位置合わせされるように構成されている。こうした位置合わせを実現するためには、入口ハブ１１０は平坦な端部分１１０ａを有し、その端部分１１０ａは、第２のセクション２１４の平坦な端部分２１４ａに相補的に形成され、噛み合うように構成される。組み立て前の第２のセクション２１４は、第１の側部２２０および第２の側部２２２も含み、それらの側部は、実質的に平行な１対の出口端部または脚２２３、２２５によって画定され、その出口端部または脚２２３、２２５は、第１の側部２２０と第２の側部２２２との間に配設された実質的に平坦な中間セクション２２７から延在し、それを部分的に囲繞する。レッジまたはエネルギーディレクタ２２４が、第２のセクションの底面２１８から外方向に延在し、実質的にその外側周縁部に沿って配置され、離間した１対の溝２２６、２２８によって形成される。この幾何構成のより詳細な非限定的で例示的な図を、図４Ａを参照することで見ることができる。図４Ａは、図５の線４Ａに沿った第２のセクション２１４の断面図を示す。
【手続補正６】
【補正対象書類名】明細書
【補正対象項目名】００２１
【補正方法】変更
【補正の内容】
【００２１】
[0039]特に図４Ｃから理解できるように、第１および第２のセクションが互いに溶着された後で、継ぎ目のない接合箇所１１３が２つの面１１７、２１８との間に形成されるように、離間したリブ１２４、１２６が結合して、溝２２６、２２８が形成され、２つの側部１１４と２１４との間にチャネル１２７が形成される。具体的には、チャネル１２７のうちの実質的に平坦な部分は、レッジ２２４の一部によって画定される。完全に組み立てられると、チャネル１２７により、入口ハブ１１０と１つまたは複数の出口１１２との間に流体経路が作られる。図２Ａに示すように、アプリケータの出口の遠位端１１２ａは開いており（参照番号１２７ａ参照）、したがって、投与中に治療薬をチャネル１２７から空にすることができる。
【手続補正７】
【補正対象書類名】明細書
【補正対象項目名】００２５
【補正方法】変更
【補正の内容】
【００２５】
[0043]しかし、これは、第２のセクションの溝および／またはレッジを異なるように形成する場合には当てはまらない。図５Ａでは、例えば、上面５１７および底面５１８を有する第２のセクション５１４の異なる実施形態が示されている。さらに、溝５２６、５２８が台形である第２のセクション５１４の異なる断面を示す。台形の溝５２６、５２８は、第１のセクション１１４の台形のリブ１２４、１２６に相補的である（図５Ｂ）。第２のセクション５１４のエネルギーディレクタまたはレッジ５２４は、実質的に平坦であり、したがって、図４Ａのレッジ２２４と同様である。図５Ｃから理解できるように、第１および第２のセクションが互いに溶着された後で、離間したリブ１２４、１２６が溝５２６、５２８に結合して、継ぎ目のない接合箇所１１３が２つの側部１１７と５１８との間に形成され、２つの側部１１７と５１８との間にチャネル１２７が形成される。しかし、図４Ｃに示す半円形のチャネル１２７とは異なり、台形の溝５２６、５２８を台形のリブ１２４、１２６と噛み合わせることでバリ５４０が生じ、それにより、チャネル１２７の一部分が塞がれる。バリ５４０によりチャネル１２７のサイズが低減し、そのため、チャネル１２７もはや半円形ではなくなる。バリがチャネルに生じる理由の一つは、台形の溝５２６、５２８と台形のリブ１２４、１２６とを溶着するのが難しいことである。
【手続補正８】
【補正対象書類名】明細書
【補正対象項目名】００２７
【補正方法】変更
【補正の内容】
【００２７】
[0045]次に、アプリケータ１０６の様々な部品のより詳細な説明を提示する。具体的には図６、図８、図８Ａ、および図８Ｂに示すように、中空入口ハブ１１０は、第１のセクション１１４と一体になっている。中空入口ハブ１１０の内面は、１対の開口部１３０と１３２との間に延びる接合されていないことにより継ぎ目のない導管によって画定された通路によって、溝またはチャネル１２７を画定するとともに、溝またはチャネル１２７に流体連結している。本明細書で理解すべきように、中空入口ハブ１１０の内部とチャネル１２７との間の導管によってもたらされた流体連結により、流体送達デバイス１０４から溝またはチャネル１２７への、治療薬のための、接合されていないことにより継ぎ目のない流路が画定される。より具体的には、入口ハブ１１０は第１の入口開口部１３０を有し、その開口部１３０は、入口ハブ１１０の近位端２１１に配設され、流体送達デバイス（図１のデバイス１０４など）の投与端部を受容する挿入孔として機能する。第１の開口部１３０の反対側に入口ハブの導管は第２の開口部１３２を有し、その開口部１３２は、ハウジング１０８の溝またはチャネル１２７に流体連結されている。したがって、入口ハブ１１０は、機能上、流体送達デバイス１０４のための開口部を形成するように設計されており、そのため、治療薬をそこから簡単に首尾よく投与することができる。
【手続補正９】
【補正対象書類名】明細書
【補正対象項目名】００２９
【補正方法】変更
【補正の内容】
【００２９】
[0047]上記の考察から理解できるように、また、図６、８、及び８Ａに明示されているように、入口ハブの導管は、流体の流れる方向（すなわち、入口ハブ１１０から出口１１２の遠位端１１２ａの方向）の流路に沿った大きさが大幅に小さくなる。これは、アプリケータを、一方ではハブ１１０の近位端２１１でより大きい流体送達デバイスに連結させることに必要であり、他方では、（１つまたは複数の）出口１１２から投与される前に、導管内に供給された流体を、流体が内部を移動する非常に小さいチャネル１２７に導入させるのに必要である。こうした導管の大きさの縮小により、入口ハブの導管内に非常に大きい圧力を発生させ、そして流路に沿って、溶着の接合部など、任意の弱い点または脆弱な点がある場合にその圧力により漏出が起きる恐れがある。こうした構造上の問題に対処するために、導管に沿った流路は、湾曲しているか、または事実上回り道するように形成されている。すなわち、入口ハブの導管は、第１の開口部１３０と第２の開口部１３２との間は直行ルートではなく、１回または複数回方向を変える。このようにして、通路１２８は、その全体がアプリケータの単一のセクション、つまりセクション１１４内に形成され、それにより、流路を画定する構造に溶着の接合部が存在することが避けられる。図８Ｂを参照すると、例えば、第１のセクションと第２のセクションとの間のインターフェース、すなわち、接合箇所１１３（図２）は、それを貫通する平面８００を画定する。こうした例示的な実施形態に示すように、導管に沿った流路は平面８００からずれている。（２つのセクションがそれらの間に配置された導管を画定するのとは対照的に）アプリケータの一方のセクション、すなわち第１のセクション１１４に流路を位置決めし、その結果、導管の流路に沿った全ての溶着の接合部をなくすことによって、流体が流体送達デバイス１０４とチャネル１２７との間の位置における流体の漏出が起きるのを、なくなるとまではいかないまでも実質的に低減する。
【手続補正１０】
【補正対象書類名】明細書
【補正対象項目名】００３０
【補正方法】変更
【補正の内容】
【００３０】
[0048]流路を画定する導管構造を、図８および図８Ａを参照しながら理解することができる。入口ハブ１１０によって画定された導管は、短くて、中空で、実質的に円筒形のチャンバ１３４を含み、そのチャンバ１３４は、第１の開口部１３０と第２の開口部１３２との間に配設され、実質的に中心で終端して、第２の開口部１３２においてチャネル１２７になる。図示されたように、導管は、典型的には、寸法が一様でない（すなわち、第１の開口部１３０と第２の開口部１３２とでは断面寸法が異なる）ように設計されている。本発明のこの態様によれば、導管の内部寸法が変化して、大きさの縮小、およびアプリケータの単一のセクション１１４内にその流路を維持するのに必要な構成が実現される。上記に言及したように、本発明の発明者らによれば、こうした構成により、流体送達デバイスとチャネルとの間で流れるときの治療薬の漏出が避けられる。
【手続補正１１】
【補正対象書類名】明細書
【補正対象項目名】００３２
【補正方法】変更
【補正の内容】
【００３２】
[0050]本発明による特定の例示的な実施形態では、導管は、湾曲した構成になると共にそのチャンバ１３４の大きさと関連する大きさが段階的に小さくなるように、リッジ、レッジ、または他のこうした同様の構造を収容する。本発明のさらに他の態様では、導管の通路は、継ぎ目のない接合箇所１１３の下方に配置され、その接合箇所１１３は、第１のセクション１１４と第２のセクション２１４との間で、それらの間に形成されたチャネル１２７の下に形成される。
【手続補正１２】
【補正対象書類名】明細書
【補正対象項目名】００３３
【補正方法】変更
【補正の内容】
【００３３】
[0051]本発明の特定の態様によれば、第２の開口部１３２は、治療薬をチャネル１２７中にチャネル１２７の長手方向に実質的に垂直の方向に向ける。こうした例示的な実施形態を、例えば、図８および図８Ａを参照することで理解することができる。第２の開口部１３２の寸法および／または幾何形状を、特定の薬物送達用途に合わせるように調節することができるが、本発明の特定の態様によれば、開口部１３２の形状は実質的に矩形である。
【手続補正１３】
【補正対象書類名】明細書
【補正対象項目名】００３４
【補正方法】変更
【補正の内容】
【００３４】
[0052]本発明のさらに別の例示的な態様によれば、湾曲通路の一部は、実質的に半円形の断面を有する導管の部分１２８を通って延びる。半円筒形の部分１２８は、流体送達デバイス１０４から治療薬を受容するチャンバ１３４に連結され、治療薬をチャネル１２７に導く。この例示的な態様によれば、導管で画定される湾曲通路は、第２の開口部１３２で終端し、そしてその開口部１３２は、実質的に半円筒形の導管の部分１２８に対して実質的に垂直に配置される。
【手続補正１４】
【補正対象書類名】明細書
【補正対象項目名】００３７
【補正方法】変更
【補正の内容】
【００３７】
[0055]以下は本発明の好ましい実施形態のリストである。
１．互いに接続された第１および第２のセクションを含むハウジングであって、
前記第１および第２のセクションが、それらの間に、少なくとも１つの出口を含むチャネルを画定する、ハウジングと、
前記第１のセクションと一体でありそこから延在するハブであって、導管を画定するハブと、
前記導管を前記チャネルに連結する湾曲通路とを備え、
前記導管、前記湾曲通路、および前記チャネルが互いに流体連結している、治療薬を動物に投与するアプリケータ。
２．前記湾曲通路が、前記第１のセクション内に配設され、前記チャネルに流体連結した開口部内で終端する、好ましい実施形態１に記載のアプリケータ。
３．前記チャネルが２つの脚を備え、該脚が、前記開口部において始まりそこから互いに実質的に反対の方向に延在する、好ましい実施形態２に記載のアプリケータ。
４．前記少なくとも１つの出口が１対の出口を備え、各脚がそれぞれ前記出口の一方で終端する、好ましい実施形態３に記載のアプリケータ。
５．前記開口部が、前記チャネルの長手方向に実質的に垂直な方向に流体を方向付けする、好ましい実施形態２に記載のアプリケータ。
６．前記チャネルが実質的に半円形である、好ましい実施形態１に記載のアプリケータ。
７．流体送達デバイスに取り付けるためのコネクタをさらに備える、好ましい実施形態１に記載のアプリケータ。
８．前記コネクタがルアーロック式コネクタである、好ましい実施形態７に記載のアプリケータ。
９．前記少なくとも１つの出口の近くに位置決めされた少なくとも１つのプロングをさらに備える、好ましい実施形態１に記載のアプリケータ。
１０．前記少なくとも１つのプロングが、離間した１対の枝を備える、好ましい実施形態９に記載のアプリケータ。
１１．前記少なくとも１つのプロングが、離間した１対のフット部を備える、好ましい実施形態９に記載のアプリケータ。
１２．前記湾曲通路が、少なくとも１つの転向部を備える、好ましい実施形態１に記載のアプリケータ。
１３．前記湾曲通路が、前記導管の実質的に半円筒形の部分を通って延びる、好ましい実施形態１２に記載のアプリケータ。
１４．前記湾曲通路が、前記チャネルに流体連結された開口部内で終端し、前記開口部が、前記実質的に半円筒形の導管の部分に対して実質的に垂直に配置される、好ましい実施形態１３に記載のアプリケータ。
１５．前記開口部が実質的に矩形である、好ましい実施形態１４に記載のアプリケータ。
１６．前記導管の表面に継ぎ目がない、好ましい実施形態１に記載のアプリケータ。
１７．前記第１のセクションと前記第２のセクションとの間のインターフェースが、平面を画定する、好ましい実施形態１に記載のアプリケータ。
１８．前記湾曲通路が、前記平面の上方または下方に配設される、好ましい実施形態１７に記載のアプリケータ。
１９．前記湾曲通路が前記平面からずれている、好ましい実施形態１７に記載のアプリケータ。
２０．前記湾曲通路の一部分が前記平面に実質的に平行である、好ましい実施形態１７に記載のアプリケータ。
２１．前記湾曲通路の一部分が前記平面に実質的に垂直である、好ましい実施形態１７に記載のアプリケータ。
２２．前記ハブが前記平面の上方に突出する、好ましい実施形態１７に記載のアプリケータ。
２３．治療薬を動物に経皮的に投与するアプリケータを製造する方法であって、
シリンジに取り付け可能なハブ部分を含む第１のハウジングセクションと、溝がそれらの間に形成された、離間した１対のリブとを設けるステップであって、前記ハブ部分がさらに導管を画定する、ステップと、
レッジを含む第２のハウジングセクションを設けるステップであって、前記レッジが、離間した１対の溝によって形成される、ステップと、
前記対の離間したリブを前記対の離間した溝に噛み合わせて、前記治療薬を投与するチャネルを形成するステップであって、前記チャネルが湾曲通路によって前記導管に流体連結している、ステップと、
前記第１のハウジングセクションを前記第２のハウジングセクションに接続して、アプリケータ本体を形成するステップであって、前記アプリケータ本体が、前記治療薬を投与するための少なくとも１つの出口を画定する、ステップと
を含む、方法。
２４．前記第１のハウジングセクションを前記第２のハウジングセクションに接続するステップが、前記第１のハウジングセクションと前記第２のハウジングセクションとを互いに超音波溶着するステップを含む、好ましい実施形態２３に記載の方法。
２５．前記湾曲通路が、前記第１のハウジングセクションに配設され、前記チャネルに流体連結した開口部において終端する、好ましい実施形態２３に記載の方法。
２６．前記湾曲通路が少なくとも１つの転向部を備える、好ましい実施形態２５に記載の方法。
２７．前記湾曲通路が、前記導管の実質的に半円筒形の部分を通って延びる、好ましい実施形態２６に記載の方法。
２８．前記開口部が、前記実質的に半円筒形の導管の部分に対して実質的に垂直に配置される、好ましい実施形態２７に記載の方法。
２９．前記開口部が実質的に矩形である、好ましい実施形態２８に記載の方法。
３０．前記湾曲通路に沿って、前記実質的に半円筒形の導管の部分の断面寸法が隣接する前記導管の部分の断面寸法よりも小さく、前記開口部が前記実質的に半円筒形の導管の部分の断面寸法よりも小さい、好ましい実施形態２８に記載の方法。
３１．前記ハブが、前記第１のハウジングセクションによって画定された平面の上方に突出している、好ましい実施形態２３に記載の方法。
３２．前記対の離間した溝がＶ字形である、好ましい実施形態２３に記載の方法。
３３．前記対の離間したリブが台形である、好ましい実施形態２３に記載の方法。
３４．前記第１のハウジングセクションと前記第２のハウジングセクションとの間に接続部を形成するステップを含む、好ましい実施形態２３に記載の方法。
３５．前記導管の表面に継ぎ目がない、好ましい実施形態３４に記載の方法。
３６．互いに接続されてチャネルを形成する第１および第２のセクションを含むハウジングと、シリンジに取り付け可能である、前記ハウジングから延在するハブとを有するタイプのアプリケータから治療薬を投与する方法であって、
前記ハブを、治療薬を収容するシリンジに取り付けるステップと、
前記アプリケータの出口を前記動物上またはその近くに設置するステップと、
前記治療薬を前記シリンジから前記アプリケータに放出するステップと、
前記治療薬を、前記ハブを通し、湾曲通路を通して、次いで、前記チャネル内に送るステップと、
前記治療薬を、前記出口を通して前記動物に投与するステップと
を含む、方法。
３７．前記チャネル中に送られるまで前記治療薬を前記ハウジングの一方のセクションに維持するステップをさらに含む、好ましい実施形態３６に記載の方法。
３８．前記設置ステップが、前記少なくとも１つの出口の近くに位置決めされた少なくとも１つのプロングを前記動物上またはその近くに設置するステップを含む、好ましい実施形態３６に記載の方法。
３９．前記少なくとも１つのプロングが前記治療薬の塗布中に前記動物に係合するときに、背圧を最小限に抑えるステップをさらに含む、好ましい実施形態３８に記載の方法。
４０．前記治療薬を、前記湾曲通路を通して送るステップが、投与されているときに、前記治療薬の方向を少なくとも１回変えるステップを含む、好ましい実施形態３６に記載の方法。
４１．前記投与するステップが、前記治療薬の実質的に全てを前記アプリケータから空にするステップを含む、好ましい実施形態３６に記載の方法。
４２．互いに接続された第１および第２のセクションを含むハウジングであって、
前記第１のセクションと前記第２のセクションとの間のインターフェースが平面を画定する、ハウジングと、
前記第１のセクションと前記第２のセクションとの間に画定され、少なくとも１つの出口を含むチャネルと、
前記第１のセクションと一体でありそこから延在するハブであって、入口開口部を有する導管を画定するハブと、
前記導管に沿って延びて前記導管の入口開口部を前記チャネルに連結する通路であって、前記導管の入口開口部、および前記チャネルが前記通路に沿って互いに流体連結している、通路とを備え、
前記通路が前記平面からずれている、治療薬を動物に投与するアプリケータ。
４３．前記通路が湾曲している、好ましい実施形態４２に記載のアプリケータ。
４４．前記通路が約９０度方向を変える、好ましい実施形態４２に記載のアプリケータ。
４５．前記ハブによって画定される前記導管の表面に継ぎ目がない、好ましい実施形態４２に記載のアプリケータ。
４６．前記通路が前記平面の上方または下方に配設される、好ましい実施形態４２に記載のアプリケータ。
４７．前記通路の一部分が前記平面に実質的に平行である、好ましい実施形態４２に記載のアプリケータ。
４８．前記通路の一部分が前記平面に実質的に垂直である、好ましい実施形態４２に記載のアプリケータ。
４９．前記導管の一部が実質的に半円形の断面を有する、好ましい実施形態４２に記載のアプリケータ。
５０．前記チャネルが実質的に半円形の断面を有する、好ましい実施形態４２に記載のアプリケータ。
５１．前記チャネルの一部分が前記インターフェースによって画定される、好ましい実施形態４２に記載のアプリケータ。
５２．前記チャネルが、実質的に平坦な部分断面と実質的に半円形の部分断面とを備え、前記実質的に平坦な部分断面が前記第１および第２のセクションの一方によって画定され、前記実質的に半円形の部分断面が前記第１および第２のセクションの他方によって画定される、好ましい実施形態４２に記載のアプリケータ。
５３．前記通路が前記第１のセクションに画定される、好ましい実施形態４２に記載のアプリケータ。
５４．互いに接続された第１および第２のセクションを含むハウジングであって、
前記第１のセクションと前記第２のセクションとの間のインターフェースが接合部を画定する、ハウジングと、
前記第１のセクションと前記第２のセクションとの間に画定され、少なくとも１つの出口を含むチャネルと、
前記第１のセクションと一体でありそこから延在するハブであって、導管を画定するハブと、
前記導管を前記チャネルに連結する継ぎ目がない通路とを備える、治療薬を動物に投与するアプリケータ。
５５．前記通路が前記接合部からずれている、好ましい実施形態５４に記載のアプリケータ。
５６．前記通路が前記接合部の上方または下方に配設される、好ましい実施形態５４に記載のアプリケータ。
５７．前記通路が湾曲している、好ましい実施形態５４に記載のアプリケータ。
５８．前記通路が約９０度方向を変える、好ましい実施形態５４に記載のアプリケータ。
５９．前記接合部が平面を実質的に画定する、好ましい実施形態５４に記載のアプリケータ。
６０．前記通路が前記平面からずれている、好ましい実施形態５９に記載のアプリケータ。
６１．前記通路の一部分が前記平面に実質的に平行である、好ましい実施形態５９に記載のアプリケータ。
６２．前記通路の一部分が前記平面に実質的に垂直である、好ましい実施形態５９に記載のアプリケータ。
６３．前記通路の一部分が前記接合部に実質的に平行である、好ましい実施形態５４に記載のアプリケータ。
６４．前記チャネルが、前記接合部と同一の広がりをもつ実質的に平坦な部分と、前記第１および第２のセクションの一方によって画定された実質的に半円形の部分とを備える、好ましい実施形態５４に記載のアプリケータ。
６５．前記チャネルが実質的に半円形の断面を有する、好ましい実施形態５４に記載のアプリケータ。
６６．前記通路が前記第１のセクションに画定される、好ましい実施形態５４に記載のアプリケータ。
６７．接合部がない導管をさらに備える、好ましい実施形態５４に記載のアプリケータ。
６８．互いに接続された第１および第２のセクションを含むハウジングであって、
前記第１および第２のセクションが、それらの間に、少なくとも１つの出口を含むチャネルを画定する、ハウジングと、
前記第１のセクションと一体でありそこから延在するハブであって、入口開口部を有する導管を画定するハブと、
前記導管を前記チャネルに連結する通路とを備え、
前記チャネルが実質的に半円形の断面を有する、治療薬を動物に投与するアプリケータ。
６９．前記通路が湾曲している、好ましい実施形態６８に記載のアプリケータ。
７０．前記通路に接合部がない、好ましい実施形態６８に記載のアプリケータ。
７１．前記第１のセクションと前記第２のセクションとの間の前記インターフェースが平面を画定する、好ましい実施形態６８に記載のアプリケータ。
７２．前記通路が前記平面からずれている、好ましい実施形態７１に記載のアプリケータ。
７３．前記通路が、前記平面の上方または下方に配設される、好ましい実施形態７１に記載のアプリケータ。
７４．前記通路の一部分が前記平面に実質的に平行である、好ましい実施形態７１に記載のアプリケータ。
７５．前記通路の一部分が前記平面に実質的に垂直である、好ましい実施形態７１に記載のアプリケータ。
７６．前記インターフェースが接合部を画定する、好ましい実施形態７１に記載のアプリケータ。
７７．前記通路が前記第１のセクションに配設される、好ましい実施形態６８に記載のアプリケータ。
７８．前記導管の入口開口部、および前記チャネルが前記通路に沿って互いに流体連結している、好ましい実施形態６８に記載のアプリケータ。